(57)【特許請求の範囲】
【請求項１】
帯状の乾燥剤をレンズ鏡胴内の内壁面に沿って配置すると共に、該乾燥剤の内周面側に外方に付勢力を有する帯状又は線状の弾性部材を当接し、該弾性部材の付勢力により前記乾燥剤を前記レンズ鏡胴内の内壁面に装着したことを特徴とするレンズ鏡胴における乾燥剤の取付構造。
【請求項２】
前記乾燥剤を固定レンズ間のデッドスペースに配置したことを特徴とする請求項１のレンズ鏡胴における乾燥剤の取付構造。
【請求項３】
前記レンズ鏡胴の外周の一部に前記乾燥剤を出入する開口を設け、前記乾燥剤を前記レンズ鏡胴の外側から交換可能にしたことを特徴とする請求項１のレンズ鏡胴における乾燥剤の取付構造。
【請求項４】
前記乾燥剤が固定されている前記レンズ鏡胴の外周の一部を透明部材によって形成し、前記乾燥剤の交換時期を視認可能にしたことを特徴とする請求項１のレンズ鏡胴における乾燥剤の取付構造。
【発明の詳細な説明】
【０００１】
【発明の属する技術分野】
本発明はレンズ鏡銅における乾燥剤の取付構造に係り、特に、レンズ鏡銅内の湿気を除去し、レンズの曇りを防止するレンズ鏡銅における乾燥剤の取付構造に関する。
【０００２】
【従来の技術】
テレビカメラ等のレンズ装置において、レンズ鏡銅内の湿気を除去し、レンズの曇りを防止するために乾燥剤が使用されている。例えば、粒状の乾燥剤をパッケージしたものやタブレット状の乾燥剤をレンズ鏡銅内の空洞部又はレンズ鏡銅内部と通気したレンズ鏡銅外の収納部に交換可能に収納したものがある。
【０００３】
【発明が解決しようとする課題】
しかしながら、従来の乾燥剤は横断面積が大きいため、乾燥剤を交換するための開口部が大きくなり、気密性に欠け、外部から湿気が入りやすいという問題があった。また、乾燥剤を円筒状のレンズ鏡銅内に配置する場合には、光路を遮断することがないようにその分レンズ鏡銅を大きくしなければならないという問題があり、乾燥剤をレンズ鏡銅外の収納部に収納する場合には構造が複雑になるという問題があった。更に、従来は、レンズを振ると粒状の乾燥剤同士が擦れる音や乾燥剤がレンズ鏡銅に衝突する音等が発生してしまうという問題もあった。
【０００４】
本発明はこのような事情に鑑みてなされたもので、レンズ鏡銅に乾燥剤を固定するための特別の構造を要せず、また、小さな開口により容易に乾燥剤の交換ができるようにしてレンズ鏡銅内部の気密性の低下を防止するレンズ鏡銅における乾燥剤の取付構造を提供することを目的とする。
【０００５】
【課題を解決するための手段】
本発明は前記目的を達成するために、帯状の乾燥剤をレンズ鏡胴内の内壁面に沿って配置すると共に、該乾燥剤の内周面側に外方に付勢力を有する帯状又は線状の弾性部材を当接し、該弾性部材の付勢力により前記乾燥剤を前記レンズ鏡胴内の内壁面に装着したことを特徴としている。本発明によれば、乾燥剤を帯状に形成し、レンズ鏡胴内の空洞部においてレンズ鏡胴内の内壁面に沿ってこの帯状の乾燥剤を装着する。また、乾燥剤をレンズ鏡胴内の内壁面に装着する手段として、乾燥剤の内周面側に外方に付勢力を有する弾性部材を当接し、弾性部材の付勢力により乾燥剤をレンズ鏡胴内の内壁面に押し当てて固定する。このように、レンズ鏡胴の構造に特別の変更を加えることなく、簡易に乾燥剤をレンズ鏡胴内部に固定することができ、従来のようにレンズ鏡胴を振ると音がするといった不具合も発生しない。また、乾燥剤はレンズ鏡胴の内壁面に沿って固定されるため、乾燥剤を取り付けるためにレンズ鏡胴を大きくしなくても光路を遮断する不具合は発生しない。
【０００６】
また、レンズ鏡銅の一部に乾燥剤が通る程度の開口を設けることによって、この開口から乾燥剤を容易に交換することができる。乾燥剤は帯状であり、横断面積が小さいため、開口はその乾燥剤の厚みと幅が通る程度の小さなものでよく、気密性に優れている。
【０００７】
【発明の実施の形態】
以下添付図面に従って本発明に係るレンズ鏡銅における乾燥剤の取付構造の好ましい実施の形態について詳説する。
図１は、本発明が適用されるテレビレンズ等のレンズ鏡銅の一実施の形態を示す概略構成図である。同図に示すようにレンズ鏡銅１０内には光軸８上前方から固定フォーカスレンズ群１２、移動フォーカスレンズ群１４、変倍レンズ群１６、補正レンズ群１８、マスターレンズ群２０が配設される。移動フォーカスレンズ群１４はレンズ枠１４Ａに支持され、レンズ枠１４Ａはガイド棒１５によって光軸方向に移動自在に支持されるとともに図示しないモータによって回動する送りネジ２２と螺合される。送りネジ２２が回動すると、移動フォーカスレンズ群１４は光軸８方向に移動する。
【０００８】
変倍レンズ群１６と補正レンズ群１８は、それぞれレンズ枠１６Ａ、１８Ａに支持され、レンズ枠１６Ａ、１８Ａはガイド棒１９、１９によって光軸方向に移動自在に支持されるとともに、レンズ枠１６Ａ、１８Ａに植設されたカムフォロワ１６Ｂ、１８Ｂが図示しないモータによって回動する円筒カム２４のカム溝２４Ａ、２４Ｂに係合される。従って、円筒カム２４が回動すると、変倍レンズ群１６と補正レンズ群１８は所定の位置関係をもって光軸８方向に移動するようになっている。尚、レンズ鏡銅１０内の気密性を保つために円筒カム２４の周辺部はケーシング２５によって覆われている。
【０００９】
レンズ鏡銅１０の先端と後端に配置された固定フォーカスレンズ群１２とマスターレンズ群２０の周辺部はシール部材１２Ａ、２０Ａを介してレンズ鏡銅１０に固定される。シール部材１２Ａ、２０Ａは、これらの固定フォーカスレンズ群１２とマスターレンズ群２０の周辺部から外気が内部に入り込むのを防止し、湿気がレンズ鏡銅１０の内部に進入するのを防止する。
【００１０】
また、レンズ鏡銅１０内の前方には、溝１０Ａが形成され、この溝１０Ａに、乾燥剤３０と乾燥剤３０を固定する固定部材３２が取り付けられる。この乾燥剤３０の作用によってレンズ鏡銅１０内の湿気が除去され、レンズの曇りが防止されるようになっている。
図２は、上記溝１０Ａの部分を拡大して表した図であり、図３は、上記溝１０Ａから乾燥剤３０と固定部材３２を取り出してこれらの部材の配置、形状を示した斜視図である。図３に示すように、乾燥剤３０は帯状の形状を有し、リング状に湾曲されて図２に示すように溝１０Ａに嵌入される。
【００１１】
固定部材３２は、乾燥剤３０と同様に帯状の形状を有する弾性部材であり、図３に示すようにリング状に湾曲されると復元力により外方に付勢力を発生させる。図２に示すようにこの固定部材３２を溝１０Ａに嵌入された乾燥剤３０の内周面に取り付けることにより、固定部材３２の付勢力が乾燥剤３０をレンズ鏡銅１０の内壁面に押し当て、乾燥剤３０及び固定部材３２が溝１０Ａ内に固定されるようになっている。
【００１２】
また、固定部材３２には、通気穴３２Ａが多数設けられており、この通気穴３２Ａによって乾燥剤３０が露呈される。これにより、固定部材３２が乾燥剤３０の吸湿性を阻害しないようにしている。
尚、上記固定部材３２は図３に示したようなものに限らず上記溝１０Ａに嵌め込んだ際に外方に付勢力を発生させ、乾燥剤３０を固定できるものであればどのようなものでもよい。例えば図４に示すように線バネ３４を固定部材としてもよい。
【００１３】
このように、レンズ鏡銅１０の内壁面に帯状の乾燥剤３０を外方に付勢力を有する固定部材３２によって固定することにより、レンズ鏡銅１０内のデッドスペースを利用して、簡単な構造で乾燥剤３０をレンズ鏡銅１０内に固定することができる。また、乾燥剤３０、固定部材３２を嵌入する上記溝１０Ａは必ずしも必要はないが、溝１０Ａを製作する場合においても、形状的に旋盤等で簡単に製作することができる。
【００１４】
また、上述の構造では一旦レンズ鏡銅を組み上げると乾燥剤３０を交換することができないが、乾燥剤３０を交換可能にする場合においても上記乾燥剤３０の形状が帯状であることからレンズ鏡銅１０の一部に小さな開口を設けるだけでよい。図５は乾燥剤３０を交換する開口をレンズ鏡銅１０に設けた場合の構造を示した上記溝１０Ａにおける正面断面図であり、図６は、開口に乾燥剤３０を挿入している様子を示した斜視図である。尚、図１に示した部材と同一又は類似作用の部材には同一符号を付している。これらの図に示すように、レンズ鏡銅１０の一部に乾燥剤３０が出し入れ可能な開口１０Ｂが設けられ、この開口１０Ｂから乾燥剤３０が挿入されるようになっている。また、乾燥剤３０を簡便に交換できるようにするため同図に示すように乾燥剤３０の一端が開口１０Ｂを塞ぐ蓋３６の下面に固着される。尚、乾燥剤３０を接着した蓋３６を１つの交換品として製造するようにしてもよいし、乾燥剤３０のみを交換できるように乾燥剤３０を蓋３６と簡単に着脱できるような構成にしてもよい。そして、蓋３６に固着されていない乾燥剤３０のもう一端を開口１０Ｂからレンズ鏡銅１０内に挿入するとともに、レンズ鏡銅１０の内壁面と上記固定部材３２の間を進入させ、蓋３６をネジ３６Ａとネジ穴１０Ｃによってレンズ鏡銅１０の外壁面に固定できる位置まで乾燥剤３０を押し込む。これにより、乾燥剤３０がレンズ鏡銅１０の内壁面に沿って略１周したところまで到達し、蓋３６をネジ３６Ａによりレンズ鏡銅１０に固定することによりレンズ鏡銅１０内が密閉されるようになる。尚、同図に示すように固定部材３２の端部３２Ｂを内側に曲げておくことによって乾燥剤３０がレンズ鏡銅１０の内壁面と固定部材３２の間に進入し易くなる。
【００１５】
乾燥剤３０を取り外す際には、ネジ３６Ａを外して蓋３６を引っ張ることにより簡単に乾燥剤３０をレンズ鏡銅１０内から抜き取ることができる。また、乾燥剤３０の交換時期は、同図に示すようにレンズ鏡銅１０の一部を透明部材１０Ｄによって形成することにより視認によって判断することができるようになっている。
【００１６】
尚、上述のように乾燥剤３０のみを交換するのではなく、乾燥剤３０に固定部材３２を固着して固定部材３２も乾燥剤３０と同時に交換するようにしてもよい。例えば、固定部材３２を乾燥剤３０の片面に接着し、この固定部材３２が接着された乾燥剤３０を開口１０Ｂから挿入して固定部材３２の復元力に抗してレンズ鏡銅１０の内壁面に沿って湾曲させることにより、固定部材３２の復元力により乾燥剤３０がレンズ鏡銅１０の内壁面に固定される。
【００１７】
以上上記実施の形態では、レンズ鏡銅１０内では、全体が通気しており、レンズ鏡銅１０内前方の溝１０Ａに取り付けた乾燥剤３２によってレンズ鏡銅内全体の湿気を除去することができたが、図７に示すように、レンズ鏡銅５０内が各レンズ５２〜５８、で仕切られているような場合には、各レンズ間に乾燥剤を設けてもよいが、図７又は、図８のＡ方向矢視図に示すように各レンズ間を通気する通気穴５０Ａを設け、レンズ５２とレンズ５４の間の一か所に設けた上記乾燥剤３０と同様な乾燥剤６０（符号６２は固定部材）によってレンズ鏡銅５０内全体の湿気を除去できるようにしてもよい。
【００１８】
また、上記実施の形態では、乾燥剤３０（６０）を弾性部材からなる固定部材３２（６２）によって固定するようにしていたが、これに限らず、例えば、レンズ鏡銅１０内の内壁面に設けた溝や係止爪等によって固定部材３２を使用せずに乾燥剤３０をレンズ鏡銅１０内に固定するようにしてもよい。
【００１９】
【発明の効果】
以上説明したように本発明に係るレンズ鏡銅における乾燥剤の取付構造によれば、乾燥剤を帯状に形成し、レンズ鏡銅内の空洞部においてレンズ鏡銅内の内壁面に沿ってこの帯状の乾燥剤を装着する。乾燥剤をレンズ鏡銅内の内壁面に装着する手段としては、例えば、乾燥剤の内周面側に外方に付勢力を有する弾性部材を当接し、弾性部材の付勢力により前記乾燥剤を前記レンズ鏡筒内の内壁面に押し当てて固定する。または、溝や係止爪によって固定することも可能である。このように、乾燥剤を帯状にすることによってレンズ鏡銅の構造に特別の変更を加えることなく、簡易に乾燥剤をレンズ鏡銅内部に固定することができ、従来のようにレンズ装置を振ると音がするといった不具合も発生しない。また、乾燥剤はレンズ鏡銅の内壁面に沿って固定されるため、乾燥剤を取り付けるためにレンズ鏡銅を大きくしなくても光路を遮断する不具合は発生しない。
【００２０】
また、レンズ鏡銅の一部に乾燥剤が通る程度の開口を設けることによって、この開口から乾燥剤を容易に交換することができる。乾燥剤は帯状であり、横断面積が小さいため、開口はその乾燥剤の厚みと幅が通る程度の小さなものでよく、気密性に優れている。
【図面の簡単な説明】
【図１】図１は、本発明が適用されるレンズ鏡銅の一実施の形態を示す概略構成図である。
【図２】図２は、乾燥剤が嵌入された溝の部分を表した拡大図である。
【図３】図３は、乾燥剤と固定部材の形状を示した斜視図である。
【図４】図４は、固定部材の他の実施の形態を示した斜視図である。
【図５】図５は、乾燥剤を交換する穴をレンズ鏡銅に設けた場合の構造を示した正面断面図である。
【図６】図６は、乾燥剤を交換する穴に乾燥剤を挿入している様子を示した斜視図である。
【図７】図７は、本発明が適用されるレンズ鏡銅の他の実施の形態を示す概略構成図である。
【図８】図８は、図７に示したＡ方向の矢視図である。
【符号の説明】
１０…レンズ鏡銅
１２…固定フォーカスレンズ群
１４…移動フォーカスレンズ群
１６…変倍レンズ群
１８…補正レンズ群
２０…マスターレンズ群
３０…乾燥剤
３２…固定部材
【図１】
0003824191.tif 000002
【図２】
0003824191.tif 000003
【図３】
0003824191.tif 000004
【図４】
0003824191.tif 000005
【図５】
0003824191.tif 000006
【図６】
0003824191.tif 000007
【図７】
0003824191.tif 000008
【図８】
0003824191.tif 000009